(57)【要約】【課題】不正ユーザによる車両の運転を抑制する車両用表示制御装置の提供。【解決手段】Ｓ１０を実行するＨＣＵは、車両が正規ユーザにより運転される正常状態と、車両が盗難されて不正ユーザにより運転される異常状態とのうち、車両の現在状態を判定する。車両が正常状態にあると判定された場合にＳ２０を実行するＨＣＵは、表示画像として正規ユーザへ提供する正常時画像の虚像表示状態を制御することで、正常時画像の表示輝度を全体に亘って正常時上限輝度以下に制限する。車両が異常状態にあると判定された場合にＳ３０を実行するＨＣＵは、表示画像として正常時画像に代えて不正ユーザへ提供する異常時画像の虚像表示状態を制御することで、異常時画像における少なくとも一部の表示輝度を、正常時上限輝度を超える異常時輝度まで高める。【選択図】図８
2018034622.tif 000002
【特許請求の範囲】
【請求項１】
前景（８）を透過する投影部材（２１）へ表示画像（５６）を投影するヘッドアップディスプレイ（５０）を搭載した車両（２）において、当該投影による前記表示画像の虚像表示を制御する車両用表示制御装置（５４）であって、
前記車両が正規ユーザにより運転される正常状態と、前記車両が盗難されて不正ユーザにより運転される異常状態とのうち、前記車両の現在状態を判定する判定ブロック（Ｓ１０）と、
前記判定ブロックにより前記車両が前記正常状態にあると判定された場合に、前記表示画像として前記正規ユーザへ提供する正常時画像（５６８）の虚像表示状態を制御することにより、前記正常時画像の表示輝度（Ｌ）を全体に亘って正常時上限輝度（Ｌｎ）以下に制限する正常時制御ブロック（Ｓ２０）と、
前記判定ブロックにより前記車両が前記異常状態にあると判定された場合に、前記表示画像として前記正常時画像に代えて前記不正ユーザへ提供する異常時画像（５６０，５５６０，６５６０，７５６０）の虚像表示状態を制御することにより、前記異常時画像における少なくとも一部の表示輝度（Ｌ）を、前記正常時上限輝度を超える異常時輝度（Ｌａ）まで高める異常時制御ブロック（Ｓ３０）とを、備える車両用表示制御装置。
【請求項２】
前記前景中の特定対象物に前記表示画像を関連付けて虚像表示する第一表示領域（Ａ１）と、当該関連付けを外して前記表示画像を虚像表示する第二表示領域（Ａ２）とが、前記ヘッドアップディスプレイにより設定される前記車両において、
前記異常時制御ブロックは、前記異常時画像（５６０，５５６０，６５６０，７５６０）を前記第一表示領域に虚像表示させる請求項１に記載の車両用表示制御装置。
【請求項３】
前記異常時制御ブロックは、前記異常時画像（５６０）において少なくとも前記異常時輝度に設定される部分の表示色（Ｃ）を、前記不正ユーザへ警告を与える警告色（Ｃｃ）に設定する請求項１又は２に記載の車両用表示制御装置。
【請求項４】
前記異常時制御ブロックは、前記異常時画像（５６０）において少なくとも前記異常時輝度に設定される部分を、点滅させる請求項１〜３のいずれか一項に記載の車両用表示制御装置。
【請求項５】
前記ヘッドアップディスプレイが有する複数の光源（５０５０ｅ）により照明されて発光した前記表示画像が虚像表示される前記車両において、
前記異常時制御ブロックは、点灯させる前記光源と、消灯させる前記光源とを、時間の経過に従って切り換える請求項４に記載の車両用表示制御装置。
【請求項６】
前記異常時制御ブロックは、前記ヘッドアップディスプレイにおいて設定される表示範囲（Ｒ）の全域を前記異常時輝度の単一色にて埋める前記異常時画像（５６０）を、虚像表示させる請求項１〜５のいずれか一項に記載の車両用表示制御装置。
【請求項７】
前記異常時制御ブロックは、前記ヘッドアップディスプレイにおいて設定される表示範囲（Ｒ）の外側へ向かうほど、前記異常時画像（５５６０）の表示輝度（Ｌ）を前記異常時輝度から減少させる請求項１〜５のいずれか一項に記載の車両用表示制御装置。
【請求項８】
前記異常時制御ブロックは、幾何学模様又はマーブル模様の前記異常時画像（６５６０）において少なくとも最大輝度部分の表示輝度（Ｌ）を、前記異常時輝度に設定する請求項１〜５のいずれか一項に記載の車両用表示制御装置。
【請求項９】
前記異常時制御ブロックは、前記不正ユーザへ警告を与える警告文字部分（７５６０ａ）の表示輝度（Ｌ）が前記異常時輝度に設定される前記異常時画像（７５６０）を、虚像表示させる請求項１〜５のいずれか一項に記載の車両用表示制御装置。
【請求項１０】
前記正常時制御ブロックは、前記正常時画像の表示範囲（Ｒ）を前記正規ユーザに対する正常時上限範囲（Ｒｎ）内に制限し、
前記異常時制御ブロックは、前記異常時画像（５６０，５５６０，６５６０，７５６０）の表示範囲（Ｒ）を、前記正常時上限範囲を超える異常時範囲（Ｒａ）まで拡大させる請求項１〜９のいずれか一項に記載の車両用表示制御装置。
【請求項１１】
ユーザから前記表示画像の虚像表示状態が入力される入力器（４１ａ）を搭載した前記車両において、
前記判定ブロックにより前記車両が前記異常状態にあると判定された場合に前記異常時制御ブロックは、前記入力器への入力を無視する請求項１〜１０のいずれか一項に記載の車両用表示制御装置。
【請求項１２】
ユーザの視線に関連する視線関連状態を検知する状態検知器（４１ｂ）を搭載した前記車両において、
前記異常時制御ブロックは、前記状態検知器により検知された前記不正ユーザの前記視線関連状態に合わせて、前記異常時画像（５６０，５５６０，６５６０，７５６０）の表示位置（Ｐ）を設定する請求項１〜１１のいずれか一項に記載の車両用表示制御装置。
【請求項１３】
前記異常時制御ブロックは、前記異常時画像（５６０）の表示位置（Ｐ）を時間の経過に従って変化させる請求項１〜１２のいずれか一項に記載の車両用表示制御装置。
【請求項１４】
車両（２）において前景（８）を透過する投影部材（２１）へ表示画像（５６）を投影するヘッドアップディスプレイ（５０）と、
前記ヘッドアップディスプレイから前記投影部材への投影による前記表示画像の虚像表示を制御する車両用表示制御装置（５４）とを、含んで構成される車両用表示システム（１）であって、
前記車両用表示制御装置は、
前記車両が正規ユーザにより運転される正常状態と、前記車両が盗難されて不正ユーザにより運転される異常状態とのうち、前記車両の現在状態を判定する判定ブロック（Ｓ１０）と、
前記判定ブロックにより前記車両が前記正常状態にあると判定された場合に、前記表示画像として前記正規ユーザへ提供する正常時画像（５６８）の虚像表示状態を制御することにより、前記正常時画像の表示輝度（Ｌ）を全体に亘って正常時上限輝度（Ｌｎ）以下に制限する正常時制御ブロック（Ｓ２０）と、
前記判定ブロックにより前記車両が前記異常状態にあると判定された場合に、前記表示画像として前記正常時画像に代えて前記不正ユーザへ提供する異常時画像（５６０，５５６０，６５６０，７５６０）の虚像表示状態を制御することにより、前記異常時画像における少なくとも一部の表示輝度（Ｌ）を、前記正常時上限輝度を超える異常時輝度（Ｌａ）まで高める異常時制御ブロック（Ｓ３０）とを、備える車両用表示システム。
【発明の詳細な説明】
【技術分野】
【０００１】
本発明は、車両用表示制御装置及び車両用表示システムに関する。
【背景技術】
【０００２】
従来、車両が盗難されて不正ユーザにより運転される異常状態では、不正ユーザに警告を与えて窃盗意欲を減退させる技術が、広く提案されている。
【０００３】
例えば特許文献１に開示の技術では、車両が盗難による異常状態になると、インストルメントパネルのメータに対して、車両用表示制御装置が異常表示処理を行わせている。これにより不正ユーザは、メータにて異常表示処理を行う車両を、そのままでは流通させることが困難となるため、窃盗意欲を減退させるものと期待される。
【先行技術文献】
【特許文献】
【０００４】
【特許文献１】特開２００４―１７５３１７号公報
【発明の概要】
【発明が解決しようとする課題】
【０００５】
一般に、盗難された車両が正規ユーザの元に返還される返還率は、例えば２０％程度と低いことが知られている。これは、車両が一旦移動させられると、正規ユーザへの返還率が著しく低下することを示している。そのため、不正ユーザによる運転を抑制して車両を移動させ難くすることが、車両の盗難を防止する防犯上での重要課題となる。そこで、かかる重要課題に対して特許文献１の開示技術を、検討してみると、インストルメントパネルのメータによる異常表示は、車両を運転する不正ユーザの視界から下方に外れ易くなるため、当該不正運転を抑制するという観点では不十分であるといえる。
【０００６】
ところで、車両において前景を透過する投影部材へ、ヘッドアップディスプレイ（以下ではＨＵＤ（Head-up Display）と表記）から投影した表示画像を虚像表示する車両用表示システムは、広く知られている。このような車両用表示システムにおいて表示画像の虚像表示は、投影部材を透過した前景と重畳することで、ユーザの視界に入り易くなる。故に、正規ユーザによる車両の運転時には通常、表示画像が当該正規運転の邪魔にならないことを、求められる。しかし、本発明者らは通常の発想を逆転させて、不正ユーザによる運転に対しては邪魔をする表示画像を虚像表示することで、当該不正運転を抑制する技術につき、鋭意検討を行ってきた。
【０００７】
本発明は、以上の鋭意検討結果に基づいて創作されたものであって、その目的は、不正ユーザによる車両の運転を抑制する車両用表示制御装置、及び当該車両用表示制御装置を含んで構成される車両用表示システムを、提供することにある。
【課題を解決するための手段】
【０００８】
以下、課題を達成するための発明の技術的手段について、説明する。尚、発明の技術的手段を開示する特許請求の範囲及び本欄に記載された括弧内の符号は、後に詳述する実施形態に記載された具体的手段との対応関係を示すものであり、発明の技術的範囲を限定するものではない。
【０００９】
まず、開示された第一発明は、
前景（８）を透過する投影部材（２１）へ表示画像（５６）を投影するヘッドアップディスプレイ（５０）を搭載した車両（２）において、当該投影による表示画像の虚像表示を制御する車両用表示制御装置（５４）であって、
車両が正規ユーザにより運転される正常状態と、車両が盗難されて不正ユーザにより運転される異常状態とのうち、車両の現在状態を判定する判定ブロック（Ｓ１０）と、
判定ブロックにより車両が正常状態にあると判定された場合に、表示画像として正規ユーザへ提供する正常時画像（５６８）の虚像表示状態を制御することにより、正常時画像の表示輝度（Ｌ）を全体に亘って正常時上限輝度（Ｌｎ）以下に制限する正常時制御ブロック（Ｓ２０）と、
判定ブロックにより車両が異常状態にあると判定された場合に、表示画像として正常時画像に代えて不正ユーザへ提供する異常時画像（５６０，５５６０，６５６０，７５６０）の虚像表示状態を制御することにより、異常時画像における少なくとも一部の表示輝度（Ｌ）を、正常時上限輝度を超える異常時輝度（Ｌａ）まで高める異常時制御ブロック（Ｓ３０）とを、備える。
【００１０】
また、開示された第二発明は、
車両（２）において前景（８）を透過する投影部材（２１）へ表示画像（５６）を投影するヘッドアップディスプレイ（５０）と、
ヘッドアップディスプレイから投影部材への投影による表示画像の虚像表示を制御する車両用表示制御装置（５４）とを、含んで構成される車両用表示システム（１）であって、
車両用表示制御装置は、
車両が正規ユーザにより運転される正常状態と、車両が盗難されて不正ユーザにより運転される異常状態とのうち、車両の現在状態を判定する判定ブロック（Ｓ１０）と、
判定ブロックにより車両が正常状態にあると判定された場合に、表示画像として正規ユーザへ提供する正常時画像（５６８）の虚像表示状態を制御することにより、正常時画像の表示輝度（Ｌ）を全体に亘って正常時上限輝度（Ｌｎ）以下に制限する正常時制御ブロック（Ｓ２０）と、
判定ブロックにより車両が異常状態にあると判定された場合に、表示画像として正常時画像に代えて不正ユーザへ提供する異常時画像（５６０，５５６０，６５６０，７５６０）の虚像表示状態を制御することにより、異常時画像における少なくとも一部の表示輝度（Ｌ）を、正常時上限輝度を超える異常時輝度（Ｌａ）まで高める異常時制御ブロック（Ｓ３０）とを、備える。
【００１１】
これら第一及び第二発明によると、車両が正規ユーザにより運転される正常状態では、正規ユーザへ提供する正常時画像の表示輝度が、全体に亘って正常時上限輝度以下に制限される。これによれば、前景と重畳して虚像表示されることで正規ユーザの視界に入り易くなる正常時画像が、高すぎる表示輝度によって車両の運転を邪魔するのを、抑制することができる。一方、車両が不正ユーザにより運転される異常状態では、不正ユーザへ提供する異常時画像において少なくとも一部の表示輝度が、正常時上限輝度を超える異常時輝度まで高められる。これによれば、前景と重畳して虚像表示されることで不正ユーザの視界に入り易くなる異常時画像は、可及的に高い表示輝度により不正ユーザに煩わしさを感じさせて、車両の運転を邪魔することができる。故に、不正ユーザによる車両の運転を抑制することが可能である。
【図面の簡単な説明】
【００１２】
【図１】第一実施形態による車両用表示システムを搭載した自車両の車室内を示す内観図である。
【図２】第一実施形態による車両用表示システムを示すブロック図である。
【図３】第一実施形態によるＨＵＤの構成を示す模式図である。
【図４】第一実施形態による虚像表示状態として表示位置の変化を説明するための模式図である。
【図５】第一実施形態による虚像表示状態として表示範囲の変化を説明するための模式図である。
【図６】第一実施形態による正常時画像の虚像表示状態を示す正面図である。
【図７】第一実施形態による異常時画像の虚像表示状態を示す正面図である。
【図８】第一実施形態によるによる表示制御フローを示すフローチャートである。
【図９】図８の表示制御フローにおいて実行される正常時モードを示すフローチャートである。
【図１０】図８の表示制御フローにおいて実行される異常時モードを示すフローチャートである。
【図１１】第二実施形態による表示制御フローにおいて実行される異常時モードを示すフローチャートである。
【図１２】第二実施形態による異常時画像の虚像表示状態を示す正面図である。
【図１３】第三実施形態による表示制御フローにおいて実行される異常時モードを示すフローチャートである。
【図１４】第三実施形態による異常時画像の虚像表示状態を示す正面図である。
【図１５】第四実施形態による表示制御フローにおいて実行される異常時モードを示すフローチャートである。
【図１６】第四実施形態によるＨＵＤの詳細構成を示す模式図である。
【図１７】図１６のXVII−XVII線矢視図に相当する模式図である。
【図１８】第四実施形態による点灯側光源と消灯側光源との切り換えを説明するための模式図である。
【図１９】第四実施形態による点灯側光源と消灯側光源との切り換えを説明するための模式図である。
【図２０】第五実施形態による異常時画像の虚像表示状態を示す正面図である。
【図２１】第五実施形態による表示制御フローにおいて実行される異常時モードを示すフローチャートである。
【図２２】第六実施形態による異常時画像の虚像表示状態を示す正面図である。
【図２３】第六実施形態による異常時画像の虚像表示状態を示す正面図である。
【図２４】第六実施形態による異常時画像の虚像表示状態を示す正面図である。
【図２５】第六実施形態による異常時画像の虚像表示状態を示す正面図である。
【図２６】第六実施形態による異常時画像の虚像表示状態を示す正面図である。
【図２７】第六実施形態による異常時画像の虚像表示状態を示す正面図である。
【図２８】第六実施形態による表示制御フローにおいて実行される異常時モードを示すフローチャートである。
【図２９】第七実施形態による異常時画像の虚像表示状態を示す正面図である。
【図３０】第八実施形態による表示制御フローにおいて実行される異常時モードを示すフローチャートである。
【図３１】図１７の変形例を示すフローチャートである。
【図３２】図１７の変形例を示すフローチャートである。
【図３３】図１７の変形例を示すフローチャートである。
【図３４】図１７の変形例を示すフローチャートである。
【発明を実施するための形態】
【００１３】
以下、本発明の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合わせることができる。
【００１４】
（第一実施形態）
本発明の第一実施形態による車両用表示システム１は、図１，２に示すように車両２に搭載される。車両用表示システム１は、車両２の車室２ａ内における表示を制御することで、特に本実施形態では車両２の盗難防止機能を発揮可能となっている。
【００１５】
図２に示すように車両用表示システム１は、周辺監視系３、車両制御系４及び表示系５を含んで構成されている。これらの各系３，４，５は、例えばＬＡＮ（Local Area Network）等の車内ネットワーク６を介して互いに接続されている。
【００１６】
周辺監視系３は、外界センサ３０及び周辺監視ＥＣＵ（Electronic Control Unit）３１を備えている。外界センサ３０は、例えば他車両、人工構造物、人間及び動物等といった、車両２の外界に存在して衝突する可能性のある障害物、並びに外界に存在する交通関連物等を、検知する。外界センサ３０は、例えばソナー、レーダ、ＬＩＤＡＲ（Light Detection and Ranging / Laser Imaging Detection and Ranging）及びカメラ等のうち、一種類又は複数種類である。
【００１７】
周辺監視ＥＣＵ３１は、プロセッサ及びメモリを有するマイクロコンピュータを主体として構成され、外界センサ３０及び車内ネットワーク６に接続されている。周辺監視ＥＣＵ３１は、例えば障害物情報、標識情報及び走行路情報等を、外界センサ３０の出力信号に基づき取得する。
【００１８】
車両制御系４は、車両状態センサ４０、乗員センサ４１及び車両制御ＥＣＵ４２を備えている。車両状態センサ４０は、車内ネットワーク６に接続されている。車両状態センサ４０は、車両２の走行状態を検知する。車両状態センサ４０は、例えば盗難モニタ４０ａ、車速センサ、回転数センサ、舵角センサ、燃料センサ、水温センサ及び通信機のうち、本実施形態では盗難モニタ４０ａを少なくとも含んだ一種類又は複数種類である。
【００１９】
具体的に盗難モニタ４０ａは、車両２の盗難を検知することで、当該検知に応じた盗難信号を出力する。盗難モニタ４０ａは、例えば車室２ａ外でのドアの不正開放、車室２ａ内への不正侵入、車両２に搭載された電装品の不正交換、並びにそれら盗難行為に伴う車両２の衝撃、揺れ及び傾き等を、車両２の盗難された異常状態として検知する。例えば盗難モニタ４０ａは、そうした検知対象に応じたセンサ、カメラ及び監視ＥＣＵ等のうち、一種類又は複数種類である。
【００２０】
車速センサは、車両２の車速を検知することで、当該検知に応じた車速信号を出力する。回転数センサは、車両２における内燃機関のエンジン回転数を検知することで、当該検知に応じた回転数信号を出力する。舵角センサは、車両２の舵角を検知することで、当該検知に応じた舵角信号を出力する。燃料センサは、車両２の燃料タンクにおける燃料残量を検知することで、当該検知に応じた燃料信号を出力する。水温センサは、車両２における内燃機関の冷却水温度を検知することで、当該検知に応じた水温信号を出力する。通信機は、例えば測位衛星、車車間通信用の他車両送信機、及び路車間通信用の路側機等からの出力電波を受信することで、交通信号を出力する。
【００２１】
乗員センサ４１は、車内ネットワーク６に接続されている。乗員センサ４１は、車両２の車室２ａ内に搭乗したユーザの状態又は操作を検知する。乗員センサ４１は、例えば表示設定スイッチ４１ａ、ユーザ状態モニタ４１ｂ、パワースイッチ、ターンスイッチ及び自動制御スイッチ等のうち、本実施形態では表示設定スイッチ４１ａ及びパワースイッチを少なくとも含んだ複数種類である。
【００２２】
具体的に表示設定スイッチ４１ａは、車室２ａ内にて表示状態を設定するためにユーザにより操作されることで、当該操作に応じた表示設定信号を出力する。特に本実施形態の表示設定スイッチ４１ａは、後に詳述する表示画像５６の虚像表示状態をユーザから入力される「入力器」として、機能する。ここで、表示設定スイッチ４１ａへの入力内容となる虚像表示状態は、例えば表示オンオフ、並びに図４，５，９，１０に示す表示輝度Ｌ、表示範囲Ｒ、表示色Ｃ及び表示位置Ｐ等のうち、本実施形態では表示オンオフ及び表示輝度Ｌを少なくとも含んだ一種類又は複数種類である。
【００２３】
ユーザ状態モニタ４１ｂは、図１に示す車室２ａ内での運転席２０上のユーザ状態を画像センサにより撮影することで、当該ユーザ状態を検知して画像信号を出力する。特に本実施形態のユーザ状態モニタ４１ｂは、ユーザの視線に関連する視線関連状態を検知する「状態検知器」として、機能する。ここで視線関連状態とは、例えば眼球の状態（具体的には瞳の状態）、眼球の位置（具体的には瞳の位置）、顔の向き、顔の位置及び体の向き等のうち、一種類又は複数種類である。
【００２４】
パワースイッチは、車両２の内燃機関又はモータジェネレータを始動させるために車室２ａ内にてユーザにより操作されることで、当該操作に応じたパワー信号を出力する。ターンスイッチは、車両２の方向指示器を作動させるために車室２ａ内にてユーザにより操作されることで、当該操作に応じたターン信号を出力する。自動制御スイッチは、車両２の走行状態に対する自動制御を指令するために、車室２ａ内にてユーザにより操作されることで、当該操作に応じた自動制御信号を出力する。
【００２５】
図２に示す車両制御ＥＣＵ４２は、プロセッサ及びメモリを有するマイクロコンピュータを主体として構成され、車内ネットワーク６に接続されている。車両制御ＥＣＵ４２は、エンジン制御ＥＣＵ、モータ制御ＥＣＵ、ブレーキ制御ＥＣＵ、ステアリング制御ＥＣＵ及び統合制御ＥＣＵ等のうち、一種類又は複数種類である。
【００２６】
エンジン制御ＥＣＵは、内燃機関のスロットルアクチュエータや燃料噴射弁の作動を、図１に示す車室２ａ内でのアクセルペダル２６の操作に従って又は自動で制御することで、車両２の車速を加減速する。モータ制御ＥＣＵは、モータジェネレータの作動を、車室２ａ内でのアクセルペダル２６の操作に従って又は自動で制御することで、車両２の車速を加減速する。ブレーキ制御ＥＣＵは、ブレーキアクチュエータの作動を、車室２ａ内でのブレーキペダル２７の操作に従って又は自動で制御することで、車両２の車速を加減速する。ステアリング制御ＥＣＵは、電動パワーステアリングの作動を、車室２ａ内でのステアリングハンドル２４の操作に従って又は自動で制御することで、車両２の舵角を調整する。統合制御ＥＣＵは、例えばセンサ４０，４１の出力信号、周辺監視ＥＣＵ３１の取得情報、及び車両制御ＥＣＵ４２のうち自身以外の他ＥＣＵの制御情報等に基づき、当該他ＥＣＵの作動を同期制御する。
【００２７】
図１，２に示すように表示系５は、情報を視覚提示するために車両２に搭載されている。表示系５は、ＨＵＤ５０、ＭＦＤ（Multi Function Display）５１、コンビネーションメータ５２及びＨＣＵ（HMI（Human Machine Interface） Control Unit）５４を備えている。
【００２８】
図１，３に示すようにＨＵＤ５０は、車室２ａ内にてインストルメントパネル２２に設置されている。ＨＵＤ５０は、例えば液晶式又は走査式等のプロジェクタ５０ａにより、所定情報を表す表示画像５６を形成する。こうして形成した表示画像５６をＨＵＤ５０は、車両２における「投影部材」としてのフロントウインドシールド２１に対し、図３に示すように、例えば凹面鏡等の光学系５０ｂを通して投影する。ここでフロントウインドシールド２１は、透光性ガラスにより形成されることで、車室２ａ外において車両２の前方に存在する前景８を、図１に示す如く透過させる。このときには、フロントウインドシールド２１で反射した表示画像５６の光束と、同シールド２１を透過した前景８からの光束とが、運転席２０上のユーザにより知覚される。その結果、フロントウインドシールド２１よりも前方位置に結像される表示画像５６の虚像は、前景８の一部に重畳して表示されることで、運転席２０上のユーザにより視認可能となる。
【００２９】
表示画像５６の虚像表示される表示領域には、図１，３に示すように、二種類の領域Ａ１，Ａ２が設定されている。まず、第一表示領域Ａ１は、前景８中の特定対象物に関連付けて虚像表示の表示画像５６を重畳させるために、設定されている。かかる関連付けを目的とした第一表示領域Ａ１は、前景８において車両２から前方へ例えば１５ｍ程度離間した遠方位置にて表示画像５６を結像させるように、ＨＵＤ５０によって調整される。これに対して第二表示領域Ａ２は、前景８中の特定対象物への関連付けを外して表示画像５６を虚像表示させるために、設定されている。かかる関連付け外しを目的とした第二表示領域Ａ２は、前景８において車両２から前方へ例えば２ｍ程度の近距離位置にて表示画像５６を結像させるように、ＨＵＤ５０によって第一表示領域Ａ１よりも下方に且つ小サイズに調整される。即ち第二表示領域Ａ２には、第一表示領域Ａ１の場合よりも車両２に近接した位置に結像される表示画像５６が、虚像表示されることとなる。
【００３０】
尚、第一表示領域Ａ１では、少なくとも一種類の表示画像５６が前景８中の特定対象物と関連付けられる限りにて、そうした関連付けの外れた表示画像５６が虚像表示されてもよい。また、第二表示領域Ａ２では、少なくとも一種類の表示画像５６が前景８中の特定対象物との関連付けを外される限りにて、そうした関連付けを実現した表示画像５６が虚像表示されてもよい。
【００３１】
ＨＵＤ５０を構成するプロジェクタ５０ａ及び光学系５０ｂは、図３に示すようにそれぞれ、上述の各表示領域Ａ１，Ａ２毎に個別に設けられる。ＨＵＤ５０は、各表示領域Ａ１，Ａ２毎に光学系５０ｂを駆動して、フロントウインドシールド２１に対する表示画像５６の投影位置を調整する位置調整機構５０ｃを、有している。この位置調整機構５０ｃがフロントウインドシールド２１に対する表示画像５６の投影位置を調整することで、各表示領域Ａ１，Ａ２にて表示画像５６が虚像表示される表示範囲Ｒの縦横両方向での実質中心位置にある表示位置Ｐは、図４に矢印で示す如く移動する。
【００３２】
さらにＨＵＤ５０は、各表示領域Ａ１，Ａ２毎にプロジェクタ５０ａを駆動して、光学系５０ｂに対するプロジェクタ５０ａの相対距離を調整する距離調整機構５０ｄを、図３の如く有していてもよいし、図示はしないが有していなくてもよい。ここで、ＨＵＤ５０が距離調整機構５０ｄを有している構成の場合、光学系５０ｂに対するプロジェクタ５０ａの相対距離を同機構５０ｄが調整することで、各表示領域Ａ１，Ａ２にて表示画像５６が虚像表示される表示範囲Ｒは、図５に破線及び実線で示す如く拡縮する。
【００３３】
このとき、車両２が正規ユーザにより運転される正常状態では、図５の破線の如く表示画像５６（具体的には後述の正常時画像５６８）の表示範囲Ｒが、正規ユーザに対する所定の正常時上限範囲Ｒｎ内に縮小制限される。ここで正常時上限範囲Ｒｎは、正規ユーザへ正確に且つ煩わしさを感じさせずに情報提供可能な表示範囲Ｒのうち、上限値に設定される。一方、車両２が盗難されて不正ユーザにより運転される異常状態では、図５の実線の如く表示画像５６（具体的には後述の異常時画像５６０）の表示範囲Ｒが、正常時上限範囲Ｒｎを超える異常時範囲Ｒａにまで拡大される。ここで異常時範囲Ｒａは、不正ユーザへ煩わしさを感じさせて警告可能な表示範囲Ｒに、設定される。
【００３４】
尚、ＨＵＤ５０が距離調整機構５０ｄを有していない構成の場合には、車両２が正常状態及び異常状態のいずれにあっても、常に表示画像５６の表示範囲Ｒが正常時上限範囲Ｒｎ内に設定される。以上より表示範囲Ｒは、ＨＵＤ５０の構成のうち光学系５０ｂに対するプロジェクタ５０ａの相対距離に応じて、異常時範囲Ｒａ又は正常時上限範囲Ｒｎに設定される。
【００３５】
こうした構成によりＨＵＤ５０が表示領域Ａ１，Ａ２のいずれかにて虚像表示させる表示画像５６としては、図６，７に示すように複数種類の画像が用意されている。具体的に複数種類の表示画像５６には、異常時画像５６０、路面画像５６２、天候画像５６３、温度画像５６４、ナビゲーション画像５６５、車速画像５６６及び回転数画像５６７が、少なくとも含まれている。ここで異常時画像５６０は、車両２が不正ユーザにより運転される異常状態にて虚像表示される。一方、その他の画像５６２，５６３，５６４，５６５，５６６，５６７は、車両２が正規ユーザにより運転される正常状態での正常時画像５６８として、虚像表示される。
【００３６】
異常時画像５６０は、図７に示す第一表示領域Ａ１のうち、ＨＵＤ５０の構成に応じた表示範囲Ｒ内、即ち同図の異常時範囲Ｒａ又は図示はしないが正常時上限範囲Ｒｎ内に、虚像表示される。特に本実施形態の異常時画像５６０は、そうした表示範囲Ｒの全域を単一色で埋めるように、所謂ベタ塗り状に形成される。このとき異常時画像５６０の表示色Ｃは、本実施形態では図７に白抜き図形にて模式的に示す如く、プロジェクタ５０ａにより輝度が最大となる無彩色としての白色に設定される。
【００３７】
図６に示すように路面画像５６２は、第一表示領域Ａ１にて車両２の前方走行路に関連付けて虚像表示される。路面画像５６２は、車両２の前方走行路に関する路面情報を、表す。天候画像５６３は、第一表示領域Ａ１にて車両２の前方走行路に関連付けて虚像表示される。天候画像５６３は、車両２の走行環境に関する天候情報を、表す。温度画像５６４は、第一表示領域Ａ１にて車両２の前方走行路に関連付けて虚像表示される。温度画像５６４は、車両２の走行環境に関する温度情報を、表す。ナビゲーション画像５６５は、第一表示領域Ａ１にて車両２の前方走行路に関連付けて虚像表示される。ナビゲーション画像５６５は、車両２の予定走行経路を案内するためのナビゲーション情報を、表す。尚、ナビゲーション情報は、後に詳述するＨＣＵ５４において、メモリ５４ｂに記憶の地図情報と、車両状態センサ４０の出力信号とに基づき取得可能である。
【００３８】
車速画像５６６は、第二表示領域Ａ２にて特定対象物と関連付けされない一定箇所に、虚像表示される。車速画像５６６は、車両状態センサ４０のうち車速センサからの出力信号に基づく車速情報を、表す。回転数画像５６７は、第二表示領域Ａ２にて特定対象物との関連付けされない一定箇所に、車速画像５６６と並んで虚像表示される。回転数画像５６７は、車両状態センサ４０のうち回転数センサからの出力信号に基づくエンジン回転数情報を、表す。
【００３９】
これら正常時画像５６８となる画像５６２，５６３，５６４，５６５，５６６，５６７は、ＨＵＤ５０の構成に拘わらず、表示範囲Ｒとしての正常時上限範囲Ｒｎ内に虚像表示される。それと共に画像５６２，５６３，５６４，５６５，５６６，５６７の表示色Ｃは、例えば車両２の設計仕様及び運転状態、並びに画像毎の表示目的等に応じて、車両２を正規に運転する正規ユーザへ情報提供するのに適した色に設定される。さらに画像５６２，５６３，５６４，５６５，５６６，５６７の表示輝度Ｌは、それぞれの全体に亘って、正規ユーザに対する所定の正常時上限輝度Ｌｎ以下に制限される。ここで正常時上限輝度Ｌｎは、正規ユーザへ正確に且つ眩しさを感じさせずに情報提供可能な表示輝度Ｌのうち、上限値に設定される。
【００４０】
一方、上述した異常時画像５６０の表示輝度Ｌは、ＨＵＤ５０の構成に応じた表示範囲Ｒ（即ち異常時範囲Ｒａ又は正常時上限範囲Ｒｎ）を埋める全体に亘って、正常時上限輝度Ｌｎを超える異常時輝度Ｌａまで図７に示す如く高められる。これにより本実施形態の異常時画像５６０は、高い異常時輝度Ｌａの白色にて全面発光することとなる。ここで異常時輝度Ｌａは、車両２を不正に運転する不正ユーザへ眩しさを感じさせて警告可能な表示輝度Ｌに、設定される。具体的に異常時輝度Ｌａは、下記数１の空間グレア指標ＵＧＲ（Unified Glare Rating）が２８以上となる値、例えば前景８における一般的な日中照度５０００ｃｄ／ｍ２に対して１００００ｃｄ／ｍ２以上の値となるように、設定される。尚、数１において変数Ｌｂは、異常時画像５６０の背景となる前景８の輝度（単位：ｃｄ／ｍ２）である。また、数１において変数ωは、プロジェクタ５０ａの立体角（単位：ｓｒ）である。さらに、数１において変数Ｐは、プロジェクタ５０ａによる異常時画像５６０の形成位置での位置指数（単位：ｍ）である。
【数１】
2018034622.tif 000003
【００４１】
尚、以上において画像５６０，５６２，５６３，５６４，５６５，５６６，５６７の表示輝度Ｌは、例えばプロジェクタ５０ａでの各色（具体的にはＲＧＢ）の階調値、又はプロジェクタ５０ａでの光源の発光輝度等を設定することで、調整可能である。また、表示画像５６としては、画像５６０，５６２，５６３，５６４，５６５，５６６，５６７に追加して、例えば車両２の車室２ａ内に提供される音楽情報や映像情報等に関連する画像等が、採用されてもよい。さらに、インストルメントパネル２２に配置されてフロントウインドシールド２１と共同して前景８を透過させる透光性コンバイナを用いることで、当該コンバイナに表示画像５６を投影することによっても、虚像表示は実現可能である。
【００４２】
図１に示すようにＭＦＤ５１は、車室２ａ内にてセンターコンソール２３に設置される。ＭＦＤ５１は、一つ又は複数の液晶パネルにて所定情報を示すように形成した画像の実像を、運転席２０上のユーザにより視認可能に表示する。こうしたＭＦＤ５１による実像表示としては、ナビゲーション情報、音楽情報及び映像情報及等のうち、一種類又は複数種類の情報を示す画像の表示が採用される。
【００４３】
コンビネーションメータ５２は、車室２ａ内にてインストルメントパネル２２に設置される。コンビネーションメータ５２は、車両２に関する車両情報を、運転席２０上のユーザにより視認可能に表示する。コンビネーションメータ５２は、液晶パネルに形成した画像により車両情報を表示するデジタルメータ、又は指針により目盛を指示して車両情報を表示するアナログメータである。こうしたコンビネーションメータ５２による表示としては、例えば車速、エンジン回転数、燃料残量、冷却水温度、ターンスイッチ及び自動制御スイッチ等の情報のうち、一種類又は複数種類の情報を示す表示が採用される。
【００４４】
図２に示すようにＨＣＵ５４は、プロセッサ５４ａ及びメモリ５４ｂを有するマイクロコンピュータを主体として構成され、表示系５の表示要素５０，５１，５２及び車内ネットワーク６に接続されている。ＨＣＵ５４は、表示要素５０，５１，５２による表示状態を同期制御する。このときＨＣＵ５４は、例えばＥＣＵ３１及びセンサ４０，４１の取得情報又は出力信号、ＥＣＵ４２の制御情報、メモリ５４ｂの記憶情報及びＨＣＵ５４自身の取得情報等に基づき、表示状態の制御を実行する。尚、ＨＣＵ５４のメモリ５４ｂ及び他の各種ＥＣＵのメモリは、例えば半導体メモリ、磁気媒体若しくは光学媒体等といった記憶媒体を、一つ又は複数使用してそれぞれ構成される。
【００４５】
ここで本実施形態のＨＣＵ５４は、データとしてメモリ５４ｂに記憶された表示画像５６を読み出してＨＵＤ５０に虚像表示させるように、「車両用表示制御装置」として機能する。具体的にＨＣＵ５４は、プロセッサ５４ａにより表示制御プログラムを実行することで、図８に示す表示制御フローの各ステップを機能的に実現する。
【００４６】
本実施形態の表示制御フローは、距離調整機構５０ｄの有無とユーザ状態モニタ４１ｂの有無とが異なる各種車両２に対して、汎用性を与えるように構築されている。また、表示制御フローは、乗員センサ４１としてのパワースイッチのオン操作に応じて開始され、同スイッチのオフ操作に応じて終了する。さらにまた、表示制御フロー中の「Ｓ」とは、各ステップを意味する。尚、表示制御フローに必要な表示画像５６を記憶させる画像記憶ユニットとしては、表示要素５０，５１，５２の内蔵ＥＣＵの各メモリのうちいずれかにより、又はそれら各メモリとＨＣＵ５４のメモリ５４ｂとのうち複数メモリの共同により、実現されてもよい。
【００４７】
表示制御フローのＳ１０では、車両２が正規ユーザにより運転される正常状態と、車両２が盗難されて不正ユーザにより運転される異常状態とのうち、車両２の現在状態を判定する。このとき、車両２の現在状態が正常状態及び異常状態のいずれであるかは、盗難モニタ４０ａの出力信号に基づき判定される。
【００４８】
車両２は正常状態にあるとの判定がＳ１０にて下された場合には、車室２ａ内のユーザは正規ユーザであるとして、Ｓ２０へ移行する。Ｓ２０では、正常時モードを実行する。この正常時モードでは、画像５６２，５６３，５６４，５６５，５６６，５６７のうち、正規ユーザへ現在提供する正常時画像５６８を選定して、選定した正常時画像５６８の虚像表示状態を制御する。ここで正常時モードの間は、表示設定スイッチ４１ａからの出力信号を受信することで、正規ユーザによる表示設定スイッチ４１ａへの入力を受け付ける状態が、継続される。
【００４９】
具体的に、図９に示す正常時モードでは、距離調整機構５０ｄの有無に拘わらず、選定した正常時画像５６８の表示範囲Ｒを正常時上限範囲Ｒｎ内へと制限するように、Ｓ２０１にて設定する。
【００５０】
正常時モードにおいてＳ２０１を実行した後のＳ２０２では、ユーザ状態モニタ４１ｂの有無を判定する。その結果、ユーザ状態モニタ４１ｂは有りとの判定がＳ２０２にて下された場合には、Ｓ２０３へ移行する。Ｓ２０３では、ユーザ状態モニタ４１ｂの出力信号に基づき、正規ユーザの視線関連状態を取得する。これに続くＳ２０４では、選定した正常時画像５６８の表示位置Ｐを、Ｓ２０３にて取得した正規ユーザの視線関連状態に合わせて設定する。一方、ユーザ状態モニタ４１ｂは無しとの判定がＳ２０２にて下された場合には、Ｓ２０５へ移行して、選定した正常時画像５６８の表示位置Ｐを、表示設定スイッチ４１ａへの入力位置又は所定の規定位置に設定する。ここで規定位置は、体格の異なる複数ユーザが想定されることで、当該想定ユーザに共通して正常時画像５６８の視認が可能な表示位置Ｐに、予め規定される。
【００５１】
正常時モードにおいてＳ２０４，２０５のいずれの実行後にも、Ｓ２０６へ移行する。Ｓ２０６では、選定した正常時画像５６８の表示色Ｃを、正規ユーザへの提供に適した色に設定する。これに続くＳ２０７では、選定した正常時画像５６８の全体における表示輝度Ｌを、正常時上限輝度Ｌｎ以下へと制限する範囲で、表示設定スイッチ４１ａへの入力輝度又は所定の規定輝度に設定する。ここで規定輝度は、視覚系感度の異なる複数ユーザが想定されることで、当該想定ユーザに共通して正常時画像５６８の視認が可能な正常時上限輝度Ｌｎ以下の表示輝度Ｌに、予め規定される。さらに続くＳ２０８では、選定した正常時画像５６８の対応領域Ａ１，Ａ２における虚像表示状態を、Ｓ２０１，Ｓ２０４，Ｓ２０５，Ｓ２０６，Ｓ２０７のうち直前に経由したステップでの設定結果に従って、制御する。
【００５２】
正常時モードでは、こうしてＳ２０８を実行した後、図８に示すＳ１０へと戻る。このような正常時モードのＳ２０に対し、車両２は異常状態にあるとの判定がＳ１０にて下された場合には、車室２ａ内のユーザは不正ユーザであるとして、Ｓ３０へ移行する。Ｓ３０では、異常時モードを実行する。この異常時モードでは、異常時画像５６０の虚像表示状態を制御する。ここで異常時モードの間は、表示設定スイッチ４１ａからの出力信号の受信を遮断することで、不正ユーザによる表示設定スイッチ４１ａへの入力を無視する状態が、継続される。
【００５３】
具体的に、図１０に示す異常時モードでは、Ｓ３０の実行開始前における表示設定スイッチ４１ａへの入力によりＨＵＤ５０は、表示画像５６の虚像表示がオフされた表示オフ状態となっているか否かを、Ｓ３０１にて判定する。その結果、ＨＵＤ５０は表示画像５６の表示オフ状態となっているとの判定がＳ３０１にて下された場合には、Ｓ３０２へ移行する。
【００５４】
Ｓ３０２では、表示画像５６の虚像表示をオンする表示オン状態へ、強制的にＨＵＤ５０の状態を切り換えてから、Ｓ３０３へ移行する。また、ＨＵＤ５０は表示画像５６の表示オフ状態となってないとの判定がＳ３０１にて下された場合には、Ｓ３０２を実行せずにＳ３０３へ移行する。
【００５５】
Ｓ３０３では、距離調整機構５０ｄの有無を判定する。その結果、距離調整機構５０ｄは有りとの判定がＳ３０３にて下された場合には、Ｓ３０４へ移行する。Ｓ３０４では、異常時画像５６０の表示範囲Ｒを、正常時上限範囲Ｒｎよりも拡大した異常時範囲Ｒａに設定する。一方、距離調整機構５０ｄは無しとの判定がＳ３０３にて下された場合には、Ｓ３０５へ移行する。Ｓ３０５では、異常時画像５６０の表示範囲Ｒを、正常時上限範囲Ｒｎ内に維持するように設定する。
【００５６】
異常時モードでは、Ｓ３０４，Ｓ３０５のいずれの実行後にも、Ｓ３０６へ移行する。Ｓ３０６では、ユーザ状態モニタ４１ｂの有無を判定する。その結果、ユーザ状態モニタ４１ｂは有りとの判定がＳ３０６にて下された場合には、Ｓ３０７へ移行する。Ｓ３０７では、ユーザ状態モニタ４１ｂの出力信号に基づき、不正ユーザの視線関連状態を取得する。これに続くＳ３０８では、異常時画像５６０の表示位置Ｐを、Ｓ３０７にて取得した不正ユーザの視線関連状態に合わせて設定する。一方、ユーザ状態モニタ４１ｂは無しとの判定がＳ３０６にて下された場合には、Ｓ３０９へ移行して、異常時画像５６０の表示位置Ｐを所定の規定位置に設定する。ここで規定位置は、体格の異なる複数ユーザが想定されることで、当該想定ユーザに共通して異常時画像５６０の視認が可能な表示位置Ｐに、予め規定される。
【００５７】
異常時モードにおいてＳ３０８，Ｓ０３０９のいずれの実行後にも、Ｓ３１０へ移行する。Ｓ３１０では、異常時画像５６０の表示色Ｃを、白色に設定する。これに続くＳ３１１では、異常時画像５６０の全体における表示輝度Ｌを、正常時上限輝度Ｌｎを超える異常時輝度Ｌａへと強制的に設定する。さらに続くＳ３１２では、第一表示領域Ａ１において異常時画像５６０の全体が継続的に表示される虚像表示状態を、Ｓ３０４，Ｓ３０５，Ｓ３０８，Ｓ３０９，Ｓ３１０，Ｓ３１１のうち直前に経由したステップでの設定結果に従って、制御する。これによりＳ３１２では、表示範囲Ｒ（即ち異常時範囲Ｒａ又は正常時上限範囲Ｒｎ）の全域に亘って、正常時上限輝度Ｌｎを超える異常時輝度Ｌａの白色に発光した異常時画像５６０を、虚像表示し続けることとなる。
【００５８】
異常時モードでは、こうしてＳ３１２を実行した後、図８に示すＳ１０へと戻る。したがって、戻ったＳ１０において盗難モニタ４０ａからの盗難信号の出力が解除されている場合には、Ｓ２０の正常時モードに復帰することとなる。
【００５９】
ここまで説明の如く表示制御フローを実現するＨＣＵ５４では、Ｓ１０を実行する機能部分が「判定ブロック」に相当し、Ｓ２０を実行する機能部分が「正常時制御ブロック」に相当し、Ｓ３０を実行する機能部分が「異常時制御ブロック」に相当する。
【００６０】
（作用効果）
以上説明した第一実施形態の作用効果を、以下に説明する。
【００６１】
第一実施形態によると、車両２が正規ユーザにより運転される正常状態では、正規ユーザへ提供する正常時画像５６８の表示輝度Ｌが、全体に亘って正常時上限輝度Ｌｎ以下に制限される。これによれば、前景８と重畳して虚像表示されることで正規ユーザの視界に入り易くなる正常時画像５６８が、高すぎる表示輝度Ｌによって車両２の運転を邪魔するのを、抑制することができる。一方、車両２が不正ユーザにより運転される異常状態では、不正ユーザへ提供する異常時画像５６０の全体に亘る表示輝度Ｌが、正常時上限輝度Ｌｎを超える異常時輝度Ｌａまで高められる。これによれば、前景８と重畳して虚像表示されることで不正ユーザの視界に入り易くなる異常時画像５６０は、可及的に高い表示輝度Ｌにより不正ユーザに煩わしさを感じさせて、車両２の運転を邪魔することができる。故に、不正ユーザによる車両２の運転を抑制することが可能である。
【００６２】
また第一実施形態によると、車両２が不正ユーザにより運転される異常状態では、前景８中の特定対象物に表示画像５６を関連付ける第一表示領域Ａ１と、当該関連付けを外した第二表示領域Ａ２とのうち、第一表示領域Ａ１に異常時画像５６０が虚像表示される。これによれば、前景８中の特定対象物との関連付けによって不正ユーザの視界への入り込み易さが増大し得る異常時画像５６０は、正常時上限輝度Ｌｎを超える高い異常時輝度Ｌａと相俟って、車両２の運転を邪魔し易くなる。故に、不正ユーザによる車両２の運転抑制効果を高めることが可能である。
【００６３】
さらに第一実施形態によると、車両２が不正ユーザにより運転される異常状態では、ＨＵＤ５０にて設定される表示範囲Ｒの全域が、異常時輝度Ｌａの単一色で虚像表示される異常時画像５６０により埋められる。これによれば、表示範囲Ｒが全域を埋められることで不正ユーザの視界を塞ぎ易くなる異常時画像５６０は、当該全域での正常時上限輝度Ｌｎを超える高い異常時輝度Ｌａと相俟って、車両２の運転を邪魔し易くなる。故に、不正ユーザによる車両２の運転抑制効果を高めることが可能である。
【００６４】
またさらに第一実施形態によると、距離調整機構５０ｄの有無に拘わらず、車両２が正規ユーザにより運転される正常状態では正常時画像５６８の表示範囲Ｒが、正規ユーザに対する正常時上限範囲Ｒｎ内に制限される。これによれば、広すぎる表示範囲Ｒによって正常時画像５６８が車両２の運転を邪魔するのを、抑制することができる。また、距離調整機構５０ｄの有る場合、車両２が不正ユーザにより運転される異常状態では異常時画像５６０の表示範囲Ｒが、正常時上限範囲Ｒｎを超える異常時範囲Ｒａまで拡大する。これによれば、可及的に広い表示範囲Ｒによって不正ユーザに煩わしさを感じさせ得る異常時画像５６０は、正常時上限輝度Ｌｎを超える高い異常時輝度Ｌａと相俟って、車両２の運転を邪魔し易くなる。故に、不正ユーザによる車両２の運転抑制効果を高めることが可能である。
【００６５】
加えて第一実施形態によると、車両２が不正ユーザにより運転される異常状態では、不正ユーザから表示設定スイッチ４１ａへの入力が無視される。これによれば、正常時上限輝度Ｌｎを超える高い異常時輝度Ｌａの異常時画像５６０を視認することで眩しさを感じた不正ユーザは、異常時画像５６０の虚像表示状態を表示設定スイッチ４１ａへの入力によって変更しようとしても、当該変更を拒絶されることとなる。こうした拒絶は、不正ユーザの窃盗意欲を減退させることができるので、不正ユーザによる車両２の運転抑制効果を高めることが可能となる。
【００６６】
さらに加えて第一実施形態によると、ユーザ状態モニタ４１ｂの有る場合、車両２が不正ユーザにより運転される異常状態では、ユーザ状態モニタ４１ｂにより検知された不正ユーザの視線関連状態に合わせて、異常時画像５６０の表示位置Ｐが設定される。これによれば、視線関連状態に応じた表示位置Ｐの設定によって不正ユーザの視界へに確実に入り得る異常時画像５６０は、正常時上限輝度Ｌｎを超える高い異常時輝度Ｌａと相俟って、車両２の運転を邪魔し易くなる。故に、不正ユーザによる車両２の運転抑制効果を高めることが可能である。
【００６７】
（第二実施形態）
図１１に示すように本発明の第二実施形態は、第一実施形態の変形例である。
【００６８】
第二実施形態の表示制御フローにおいて第一実施形態のＳ３１０に代わるＳ２３１０では、異常時画像５６０の表示色Ｃを、図１２にドットハッチングを付して模式的に示す如き警告色Ｃｃに設定する。このとき警告色Ｃｃは、視覚上の刺激により不正ユーザへ警告を与える有彩色として、例えば赤色等に設定される。こうしたＳ２３１０の実行後における表示制御フローのＳ３１２では、表示範囲Ｒ（即ち異常時範囲Ｒａ又は正常時上限範囲Ｒｎ）の全域に亘って、正常時上限輝度Ｌｎを超える異常時輝度Ｌａの警告色Ｃｃに発光した異常時画像５６０を、虚像表示し続けることとなる。
【００６９】
このような第二実施形態によると、車両２が不正ユーザにより運転される異常状態では、異常時輝度Ｌａに設定される異常時画像５６０全体の表示色Ｃが、不正ユーザへ警告を与える警告色Ｃｃに設定される。これによれば、警告色Ｃｃの設定によって不正ユーザへの警告性を高め得る異常時画像５６０は、当該警告色部分での正常時上限輝度Ｌｎを超える高い異常時輝度Ｌａと相俟って、車両２の運転を邪魔し易くなる。故に、不正ユーザによる車両２の運転抑制効果を高めることが可能である。
【００７０】
（第三実施形態）
図１３に示すように本発明の第三実施形態は、第一実施形態の変形例である。
【００７１】
第三実施形態の表示制御フローにおいて第一実施形態のＳ３１２に代わるＳ３３１２では、図１４に矢印で示す如く異常時画像５６０の全体が時間の経過に従って点滅する虚像表示状態を、直前経由ステップでの設定結果に従って制御する。このときの点滅は、例えばプロジェクタ５０ａでの階調値設定により異常時画像５６０の形成と消去とを繰り返す処理、又はプロジェクタ５０ａでの光源の点灯と消灯とにより異常時画像５６０の発光と非発光とを繰り返す処理等から、実現可能である。また、点滅の周期は、一定であってもよいし、ランダムであってもよい。こうしたＳ３３１２の実行により異常時画像５６０は、表示範囲Ｒ（即ち異常時範囲Ｒａ又は正常時上限範囲Ｒｎ）の全域に亘って正常時上限輝度Ｌｎを超える異常時輝度Ｌａの白色に発光した表示状態と、表示輝度Ｌが実質零となる非表示状態とを、繰り返すこととなる。
【００７２】
このような第三実施形態によると、車両２が不正ユーザにより運転される異常状態では、異常時輝度Ｌａに設定される異常時画像５６０の全体が、点滅する。これによれば、点滅によって不正ユーザに煩わしさを感じさせ得る異常時画像５６０は、当該点滅部分での正常時上限輝度Ｌｎを超える高い異常時輝度Ｌａと相俟って、車両２の運転を邪魔し易くなる。故に、不正ユーザによる車両２の運転抑制効果を高めることが可能である。
【００７３】
（第四実施形態）
図１５に示すように本発明の第四実施形態は、第三実施形態の変形例である。
【００７４】
第四実施形態の表示制御フローにおいて第三実施形態のＳ３３１２に代わるＳ４３１２では、異常時画像５６０における点滅部分が時間の経過に従って変化する虚像表示状態を、直前経由ステップでの設定結果に従って制御する。このときの時間変化は、図１６，１７に示す如くプロジェクタ５０５０ａが複数有した光源５０５０ｅ毎の点灯と消灯とによって、実現可能である。
【００７５】
具体的に複数の光源５０５０ｅは、異常時画像５６０を形成する液晶表示器５０５０ｆの画面に沿って、アレイ状に配列されている。ここで図１６，１７は、平面視にて矩形を呈する光源５０５０ｅが一列に二つ配列された構造を、示している。各光源５０５０ｅは、ＨＣＵ５４に対して並列に接続されることで、それぞれの点消灯を個別に制御可能となっている。各光源５０５０ｅは、液晶表示器５０５０ｆの形成する異常時画像５６０において対応する画素部分を、ずらされている。これにより各光源５０５０ｅは、異常時画像５６０における対応画素部分を、それぞれの点灯時に照明して発光させる。一方で各光源５０５０ｅは、異常時画像５６０における対応画素部分を、それぞれの消灯時に非発光とする。
【００７６】
こうしたプロジェクタ５０５０ａの構成下にて図１５のＳ４３１２では、点灯させる点灯側光源５０５０ｅと、消灯させる消灯側光源５０５０ｅとを、時間の経過に従って図１８，１９に示す如く切り換える。これによりＳ４１３２では、正常時上限輝度Ｌｎを超える異常時輝度Ｌａの白色に発光した表示部分と、表示輝度Ｌが実質零となる非表示部分とを、表示範囲Ｒ（即ち異常時範囲Ｒａ又は正常時上限範囲Ｒｎ）内にて切り換え続けることとなる。
【００７７】
ここで図１８は、点灯側光源５０５０ｅと消灯側光源５０５０ｅとの組み合わせを一定のパターンで、且つ一定又はランダムな周期で矢印の如く切り換える例を、表している。これに対して図１９は、点灯側光源５０５０ｅと消灯側光源５０５０ｅとの組み合わせをランダムなパターンで、且つ一定又はランダムな周期で矢印の如く切り換える例を、表している。尚、図１８，１９では、点灯側光源５０５０ｅを白抜き図形で示し、消灯側光源５０５０ｅを黒塗り図形で示している。
【００７８】
このような第四実施形態によると、車両２が不正ユーザにより運転される異常状態では、照明により異常時画像５６０を発光させる複数光源５０５０ｅのうち点灯させる光源５０５０ｅと消灯させる光源５０５０ｅとが、時間の経過に従って切り換えられる。これによれば、点滅する異常時画像５６０において発光する部分を、光源５０５０ｅの切り換えに応じて変化させることができる。こうした発光部分の変化によって不正ユーザの感じる煩わしさを増大させ得る異常時画像５６０は、当該発光部分での正常時上限輝度Ｌｎを超える高い異常時輝度Ｌａと相俟って、車両２の運転を邪魔し易くなる。故に、不正ユーザによる車両２の運転抑制効果を高めることが可能である。
【００７９】
（第五実施形態）
図２０に示すように本発明の第五実施形態は、第一実施形態の変形例である。
【００８０】
第五実施形態による異常時画像５５６０は、第一表示領域Ａ１にて表示範囲Ｒ（即ち異常時範囲Ｒａ又は正常時上限範囲Ｒｎ）の縦横両方向での中央にある内側部分５５６０ａから、外側へ向かうほど表示色Ｃが変化する所謂グラデーション状に、形成される。このとき、プロジェクタ５０ａにより異常時画像５５６０の表示色Ｃは、輝度が最大となる白色から、輝度が最小となる黒色まで、それら白色及び黒色間の複数段のグレー色を経てグラデーション変化する無彩色に設定される。ここで、異常時画像５５６０のうち黒色となる部分は、プロジェクタ５０ａからは投影されないことで、虚像表示状態では前景８の透過する部分となる。
【００８１】
こうした表示色Ｃを与えられる異常時画像５５６０の表示輝度Ｌは、表示範囲Ｒにおいて内側部分５５６０ａから外側へ向かうほど、異常時輝度Ｌａから減少するように設定される。ここで、異常時画像５５６０において正常時上限輝度Ｌｎを超える異常時輝度Ｌａの部分は、白色の内側部分５５６０ａのみから、又は当該内側部分５５６０ａ及び少なくとも一部のグレー部分から、例えば表示範囲Ｒの１０％以上を占めるように構成されることが好ましい。
【００８２】
ここまで説明の構成に応じて第五実施形態の表示制御フローでは、図２１に示す如く第一実施形態のＳ３１０に代わるＳ５３１０にて、白色の内側部分５５６０ａから黒色の外側へと向かうグラデーション状に、異常時画像５５６０の表示色Ｃを設定する。また、第一実施形態のＳ３１１に代わるＳ５３１１では、内側部分５５６０ａから外側へ向かうほど、正常時上限輝度Ｌｎを超える異常時輝度Ｌａから減少する表示輝度Ｌを、異常時画像５５６０に設定する。以上よりＳ３１２では、表示範囲Ｒの外側へ向かって異常時輝度Ｌａから漸次輝度減少するグラデーション状の異常時画像５５６０を、虚像表示し続けることとなる。
【００８３】
このような第五実施形態によると、車両２が不正ユーザにより運転される異常状態では、ＨＵＤ５０において設定される表示範囲Ｒの外側へ向かうほど、異常時画像５５６０の表示輝度Ｌが異常時輝度Ｌａから減少させられる。これによれば、異常時画像５５６０において正常時上限輝度Ｌｎを超える高い異常時輝度Ｌａに設定される部分を、表示範囲Ｒの内側に集中させることができる。こうした表示範囲Ｒ内側への高輝度部分の集中によって不正ユーザの感じる眩しさを増大させ得る異常時画像５５６０は、車両２の運転を邪魔し易い。故に、不正ユーザによる車両２の運転抑制効果を高めることが可能である。
【００８４】
（第六実施形態）
図２２〜２７に示すように本発明の第六実施形態は、第一実施形態の変形例である。
【００８５】
第六実施形態による異常時画像６５６０は、第一表示領域Ａ１のうち表示範囲Ｒ（即ち異常時範囲Ｒａ又は正常時上限範囲Ｒｎ）の全域にて、周期的もしくはランダムな幾何学模様、又はランダムなマーブル模様を与えられる。このとき異常時画像６５６０の表示色Ｃは、以下に説明の如く与えられる模様に応じて、プロジェクタ５０ａにより設定される。ここで、異常時画像６５６０のうち黒色となる部分は、プロジェクタ５０ａからは投影されないことで、虚像表示状態では前景８の透過する部分となる。
【００８６】
図２２に示す画像６５６０ａは、幾何学模様としての市松模様を与えられ、輝度が最大となる白色の矩形部分６５６０ａ１と、輝度が最小となる黒色の矩形部分６５６０ａ２とを、縦横両方向にて周期的に交互に並べて有している。図２３に示す画像６５６０ｂは、幾何学模様としてモザイク処理模様を与えられ、輝度が最大となる白色の矩形部分６５６０ｂ１と、輝度が最小となる黒色の矩形部分６５６０ｂ２と、それら黒色及び白色間のグレー色の矩形部分６５６０ｂ３とを、縦横両方向にてランダムに並べて有している。
【００８７】
図２４に示す画像６５６０ｃは、幾何学模様としての縞模様のうち縦縞模様を与えられ、輝度が最大となる白色の線形部分６５６０ｃ１と、輝度が最小となる黒色の線形部分６５６０ｃ２と、それら黒色及び白色間のグレー色の線形部分６５６０ｃ３とを、横方向にて周期的に又はランダムに並べて有している。図２５に示す画像６５６０ｄは、幾何学模様としての縞模様のうち横縞模様を与えられ、輝度が最大となる白色の連続ドット部分６５６０ｄ１と、輝度が最小となる黒色の連続ドット部分６５６０ｄ２とを、縦方向に周期的に交互に並べて有している。
【００８８】
図２６に示す画像６５６０ｅは、幾何学模様としての波模様を与えられ、輝度が最大となる白色の波形部分６５６０ｅ１と、輝度が最小となる黒色の波形部分６５６０ｅ２とを、それぞれ規則的に波打たせて且つ縦方向にて周期的に並べて有している。但し、画像６５６０ｅについて図示はしないが、波形部分がランダムに波打っていてもよいし、波形部分の並び方向が横方向であってもよいし、波形部分の並びがランダムであってもよい。図２７に示す画像６５６０ｆは、マーブル模様を与えられ、輝度が最大となる白色部分６５６０ｆ１と、輝度が最小となる黒色部分６５６０ｆ２とを、混在させて有している。
【００８９】
こうした模様及び表示色Ｃの画像６５６０ａ，６５６０ｂ，６５６０ｃ，６５６０ｄ，６５６０ｅ，６５６０ｆのうちいずれかが、第六実施形態では虚像表示させる異常時画像６５６０として選定される。ここで図２２〜２７に示すように、いずれの選定の場合にも異常時画像６５６０の表示輝度Ｌは、少なくとも最大輝度部分となる白色部分において正常時上限輝度Ｌｎを超える異常時輝度Ｌａに、設定される。また、いずれの選定の場合にも異常時画像６５６０の表示輝度Ｌは、少なくとも最小輝度部分となる黒色部分において正常時上限輝度Ｌｎ以下に、制限される。さらに、画像６５６０ｂ，６５６０ｃが異常時画像６５６０として選定される場合にグレー部分の表示輝度Ｌは、全て異常時輝度Ｌａに設定されてもよいし、全て正常時上限輝度Ｌｎ以下に制限されてもよいし、異常時輝度Ｌａの部分と正常時上限輝度Ｌｎ以下の部分とに分けられてもよい。以上より、異常時画像６５６０において正常時上限輝度Ｌｎを超える異常時輝度Ｌａの部分は、例えば表示範囲Ｒの５０％以上を占めるように構成されることが好ましい。
【００９０】
ここまで説明の構成に応じて第六実施形態の表示制御フローでは、図２８に示す如く第一実施形態のＳ３１０に代わるＳ６３１０にて、異常時画像６５６０の表示色Ｃを、与える模様に応じて同画像６５６０に設定する。また、第一実施形態のＳ３１１に代わるＳ６３１１では、少なくとも最大輝度部分が正常時上限輝度Ｌｎを超える異常時輝度Ｌａとなる表示輝度Ｌを、与える模様に応じて異常時画像６５６０に設定する。以上よりＳ３１２では、表示範囲Ｒの全域に広がる幾何学模様又はマーブル模様の一部に異常時輝度Ｌａを与えて発光した異常時画像６５６０を、虚像表示し続けることとなる。このとき、異常時画像６５６０の模様は、時間の経過に拘わらず固定されてもよいし、時間の経過に従って周期的に又はランダムに変化してもよい。
【００９１】
このような第六実施形態によると、車両２が不正ユーザにより運転される異常状態では、幾何学模様又はマーブル模様の異常時画像６５６０において少なくとも最大輝度部分の表示輝度Ｌが、異常時輝度Ｌａに設定される。これによれば、幾何学模様又はマーブル模様の少なくとも最大輝度部分が正常時上限輝度Ｌｎを超える高い異常時輝度Ｌａとなった異常時画像６５６０は、不正ユーザに煩わしさを感じさせ得るので、車両２の運転を邪魔し易い。故に、不正ユーザによる車両２の運転抑制効果を高めることが可能である。
【００９２】
（第七実施形態）
図２９に示すように本発明の第七実施形態は、第一実施形態の変形例である。
【００９３】
第七実施形態による異常時画像７５６０は、第一表示領域Ａ１にて表示範囲Ｒ（即ち異常時範囲Ｒａ又は正常時上限範囲Ｒｎ）内に可及的に大きく表示される警告文字部分７５６０ａを含んで、構成されている。かかる警告文字部分７５６０ａは、不正ユーザへ直感的に警告を与えることの可能な文章を、表している。このとき、プロジェクタ５０ａにより異常時画像７５６０の表示色Ｃは、警告文字部分７５６０ａでは輝度が最大となる白色に、また当該部分７５６０ａ以外では第二実施形態に準じた警告色Ｃｃに、それぞれ設定される。
【００９４】
こうした表示色Ｃを与えられる異常時画像７５６０の全体として、警告文字部分７５６０ａの表示輝度Ｌは、正常時上限輝度Ｌｎを超える異常時輝度Ｌａに設定される。これにより、第七実施形態の表示制御フローにおけるＳ３１２では、表示範囲Ｒ内に広がる異常時輝度Ｌａの警告文字部分７５６０ａが白色にて発光する異常時画像７５６０を、虚像表示し続けることとなる。
【００９５】
このような第七実施形態によると、車両２が不正ユーザにより運転される異常状態では、異常時画像７５６０において不正ユーザへ警告を与える警告文字部分７５６０ａの表示輝度Ｌが、異常時輝度Ｌａに設定される。これによれば、警告文字部分７５６０ａの虚像表示によって不正ユーザへの警告性を高め得る異常時画像７５６０は、当該警告文字部分７５６０ａでの正常時上限輝度Ｌｎを超える高い異常時輝度Ｌａと相俟って、車両２の運転を邪魔し易くなる。故に、不正ユーザによる車両２の運転抑制効果を高めることが可能である。
【００９６】
（第八実施形態）
図３０に示すように本発明の第八実施形態は、第一実施形態の変形例である。
【００９７】
第八実施形態の表示制御フローにおいて、第一実施形態のＳ３０９に代わるＳ８３０９では、表示範囲Ｒ（即ち異常時範囲Ｒａ又は正常時上限範囲Ｒｎ）の中心位置を決める異常時画像５６０の表示位置Ｐを、時間の経過に従って変化させるように可変設定する。このとき表示位置Ｐの時間変化は、位置調整機構５０ｃを連続的に又は断続的に駆動することで、実現可能である。また、第一表示領域Ａ１における表示位置Ｐの可変限界は、体格の異なる複数ユーザが想定されることで、当該想定ユーザの各々によって異常時画像５６０の視認が可能となるアイボックスをカバーするように、予め規定される。
【００９８】
こうしたＳ８３０９の実行後における表示制御フローのＳ３１２では、表示範囲Ｒの全域に亘って正常時上限輝度Ｌｎを超える異常時輝度Ｌａの白色に発光した異常時画像５６０の表示位置Ｐが、時間変化し続けることとなる。
【００９９】
このような第八実施形態によると、車両２が不正ユーザにより運転される異常状態では、時間の経過に従って異常時画像５６０の表示位置Ｐが変化する。これによれば、不正ユーザの姿勢変化により一旦は視認困難となった異常時画像５６０であっても、表示位置Ｐの時間変化によって不正ユーザの視界へと入り得ることから、正常時上限輝度Ｌｎを超える高い異常時輝度Ｌａと相俟って、車両２の運転を邪魔し易くなる。故に、不正ユーザによる車両２の運転抑制効果を高めることが可能である。
【０１００】
（他の実施形態）
以上、本発明の複数の実施形態について説明したが、本発明は、それらの実施形態に限定して解釈されるものではなく、本発明の要旨を逸脱しない範囲内において種々の実施形態及び組み合わせに適用することができる。
【０１０１】
具体的に、第一〜第八実施形態に関する変形例１としては、第二表示領域Ａ２を設定しなくてもよい。第一〜第八実施形態に関する変形例２としては、第一表示領域Ａ１に加えて第二表示領域Ａ２にも、異常時画像５６０，５５６０，６５６０，７５６０を虚像表示させてもよい。
【０１０２】
第一〜第八実施形態に関する変形例３としては、第一表示領域Ａ１に代えて第二表示領域Ａ２に、異常時画像５６０，５５６０，６５６０，７５６０を虚像表示させてもよい。ここで変形例３の場合には、さらに第一表示領域Ａ１を設定しないで、第二表示領域Ａ２のみ設定してもよい。
【０１０３】
第三〜第八実施形態に関する変形例４としては、異常時画像５６０，５５６０，６５６０，７５６０において少なくとも異常時輝度Ｌａに設定される部分の表示色Ｃを、第二実施形態に準じた警告色Ｃｃに設定してもよい。第三〜第八実施形態に関する変形例５としては、異常時画像５６０，５５６０，６５６０，７５６０において少なくとも異常時輝度Ｌａに設定される部分の表示色Ｃを、白色及び警告色Ｃｃ以外の色に設定してもよい。
【０１０４】
第五〜第八実施形態に関する変形例６としては、異常時画像５６０，５５６０，６５６０，７５６０において少なくとも異常時輝度Ｌａが設定される部分を、第三又は第四実施形態に準じて点滅させてもよい。第五実施形態に関する変形例７としては、表示範囲Ｒの内側へ向かうほど、異常時画像５５６０の表示輝度を異常時輝度Ｌａから減少させてもよい。
【０１０５】
第一〜第八実施形態に関する変形例８としては、プロジェクタ５０ａにより異常時画像５６０，５５６０，６５６０，７５６０の形成サイズを拡縮することで、表示範囲Ｒの拡縮を実現してもよい。ここで変形例８の場合には、表示制御フローにてＳ３０３，Ｓ３０５を実行しないで、Ｓ３０２からＳ３０４へと移行させてもよい。第一〜第八実施形態に関する変形例９としては、ＨＵＤ５０が距離調整機構５０ｄの無い構成のみとなる場合に、表示制御フローにてＳ３０３，Ｓ３０４を実行しないで、Ｓ３０２からＳ３０５へと移行させてもよい。
【０１０６】
第一〜第八実施形態に関する変形例１０としては、ＨＵＤ５０がユーザ状態モニタ４１ｂの無い構成のみとなる場合に、表示制御フローにてＳ２０２，Ｓ２０３，Ｓ２０４，Ｓ３０６，Ｓ３０７，Ｓ３０８を実行しないで、Ｓ２０１からＳ２０５へと移行且つＳ３０４，Ｓ３０５からＳ３０９へと移行させてもよい。第一〜第七実施形態に関する変形例１１としては、ＨＵＤ５０が位置調整機構５０ｃの無い構成となる場合に、表示制御フローにてＳ２０２，Ｓ２０３，Ｓ２０４，Ｓ２０５，Ｓ３０６，Ｓ３０７，Ｓ３０８，Ｓ３０９を実行しないで、Ｓ２０１からＳ２０６へと移行且つＳ３０４，Ｓ３０５からＳ３１０へと移行させてもよい。ここで変形例１１の場合には、異常時画像５６０，５５６０，６５６０，７５６０を含む表示画像５６の表示位置Ｐが、第一実施形態にて説明した規定位置に常に固定される。
【０１０７】
第一〜第八実施形態に関する変形例１２としては、表示設定スイッチ４１ａへの入力内容に表示オンオフが含まれないことで、表示画像５６が常に虚像表示される場合等に、表示制御フローにてＳ３０１，Ｓ３０２を実行しなくてもよい。第一〜第八実施形態に関する変形例１３としては、ＨＵＤ５０が表示設定スイッチ４１ａの無い構成となることで、表示画像５６が常に虚像表示される場合等に、Ｓ２０での入力受け付け及びＳ３０での入力無視、並びにＳ３０１，Ｓ３０２を表示制御フローにて実行しなくてもよい。
【０１０８】
第一〜第八実施形態に関する変形例１４の正常時画像５６８としては、画像５６２，５６３，５６４，５６５，５６６，５６７のうち少なくとも一つに代えて、それら画像とは異なる情報を表した一種類又は複数種類の表示画像５６を、採用してもよい。ここで変形例１４の場合には、第一表示領域Ａ１，Ａ２のうち、正常時画像５６８として採用した表示画像５６の種類に応じて選定される領域に、当該表示画像５６の表示位置Ｐが設定される。
【０１０９】
第五実施形態に関する変形例１５としては、図３１〜３４に示すようにプロジェクタ５０５０ａの構造を、平面視にて矩形を呈する光源５０５０ｅが一列に二つ配列された構造以外に、構築してもよい。ここで図３１は、平面視にて矩形を呈する光源５０５０ｅが一列に四つ以上配列された構造を、示している。また図３２は、平面視にて矩形を呈する光源５０５０ｅが二列以上に且つ各列では四つ以上配列された構造を、示している。さらに図３３は、平面視にて三角形を呈する光源５０５０ｅが二列以上に且つ各列では複数配列された構造を、示している。またさらに図３４は、平面視にて六角形を呈する光源５０５０ｅが三列以上に且つ各列では複数配列された構造を、示している。
【０１１０】
第一〜第八実施形態に関する変形例１６としては、表示制御フローの少なくとも一部のステップを、ＨＣＵ５４により機能的に実現する代わりに、一つ又は複数のＩＣ等によりハードウェア的に実現してもよい。第一〜第八実施形態に関する変形例１７としては、ＨＣＵ５４に加えて又は代えて、周辺監視ＥＣＵ３１及び表示要素５０，５１，５２の表示制御ＥＣＵのうち一種類又は複数種類を、「車両用表示制御装置」として機能させてもよい。
【符号の説明】
【０１１１】
１  車両用表示システム、２  車両、８  前景、２１  フロントウインドシールド、４０  車両状態センサ、４０ａ  盗難モニタ、４１  乗員センサ、４１ａ  表示設定スイッチ、４１ｂ  ユーザ状態モニタ、５０  ＨＵＤ、５０ａ，５０５０ａ  プロジェクタ、５０ｂ  光学系、５０ｃ  位置調整機構、５０ｄ  距離調整機構、５４  ＨＣＵ、５６  表示画像、５６０，５５６０，６５６０，７５６０  異常時画像、５６８  正常時画像、５０５０ｅ  光源、Ａ１  第一表示領域、Ａ２  第二表示領域、Ｃ  表示色、Ｃｃ  警告色、Ｌ  表示輝度、Ｌａ  異常時輝度、Ｌｎ  正常時上限輝度、Ｐ  表示位置、Ｒ  表示範囲、Ｒａ  異常時範囲、Ｒｎ  正常時上限範囲
【図１】
2018034622.tif 000004
【図２】
2018034622.tif 000005
【図３】
2018034622.tif 000006
【図４】
2018034622.tif 000007
【図５】
2018034622.tif 000008
【図６】
2018034622.tif 000009
【図７】
2018034622.tif 000010
【図８】
2018034622.tif 000011
【図９】
2018034622.tif 000012
【図１０】
2018034622.tif 000013
【図１１】
2018034622.tif 000014
【図１２】
2018034622.tif 000015
【図１３】
2018034622.tif 000016
【図１４】
2018034622.tif 000017
【図１５】
2018034622.tif 000018
【図１６】
2018034622.tif 000019
【図１７】
2018034622.tif 000020
【図１８】
2018034622.tif 000021
【図１９】
2018034622.tif 000022
【図２０】
2018034622.tif 000023
【図２１】
2018034622.tif 000024
【図２２】
2018034622.tif 000025
【図２３】
2018034622.tif 000026
【図２４】
2018034622.tif 000027
【図２５】
2018034622.tif 000028
【図２６】
2018034622.tif 000029
【図２７】
2018034622.tif 000030
【図２８】
2018034622.tif 000031
【図２９】
2018034622.tif 000032
【図３０】
2018034622.tif 000033
【図３１】
2018034622.tif 000034
【図３２】
2018034622.tif 000035
【図３３】
2018034622.tif 000036
【図３４】
2018034622.tif 000037